(57)【要約】【課題】手提部の位置をキャラクタ形状を形成し易い位置に設定することにより袋のキャラクタ性の付与を容易にした箱用手提袋を得ることである。【解決手段】箱用手提袋１は、プラスチックフィルム又はシートを平面状に、かつ両側辺９、９に沿ってガゼット折りをして折畳み、内側のガゼット折目８、８を両側辺９、９から内側に折畳んで下端２を溶着線２ａで溶着し、上端にはキャラクタ形状の手提部３を形成し、手提部３には指穴４、切目５を設けて構成している。【選択図】  図１
2004345649.tif 000002
【特許請求の範囲】
【請求項１】
輪状のプラスチックフィルム又はシートを平面状に、かつガゼット折りが側辺に沿って形成されるように折畳み、そのガゼット折目を両側辺から内側に折畳んで下端を溶着し、フィルム又はシートの上端をカットして上端中央にキャラクタ形状の手提部を形成して成る手提袋。
【請求項２】
前記内側に折畳まれたガゼット折目を両側辺間の中央又は折目間が所定隙間となる位置まで折込み、手提部に指挿入用の指穴又は切込みを設けたことを特徴とする請求項１に記載の手提袋。
【請求項３】
プラスチックフィルム又はシートを平面状に、かつガゼット折目が両側辺と直交する方向に形成されるように折畳み、そのガゼット折目を下底から内側に折畳み、上端縁は内側に折り返し、両側辺を溶着すると共に上端縁の内側折返し端を外側面に溶着し、フィルム又はシートの上端をカットして上端中央に手提部、両側辺上端に係合片を形成して成る箱用手提袋。
【発明の詳細な説明】
【０００１】
【発明の属する技術分野】
この発明は、百貨店やその他の店の店頭で支給され、デコレーションケーキのような商品の箱を簡便に携帯できるように収納するための薄いプラスチックフィルム製の箱用手提袋に関する。
【０００２】
【従来の技術】
百貨店やコンビニエンスストア等では手で携帯し得るサイズ、重さ以内の商品を収納するため薄いプラスチックフィルム製の手提袋が一般に支給される。図８に、一般に使用されている手提袋を示す。この手提袋は、極薄の高密度のポリエチレンフィルムが用いられ、このポリエチレンフィルムを円筒状に形成したものを平面状に折り畳む際に、両側辺を内側に折り込んでガゼット折りし、これを所定長さに切断してその上、下端を熱融着でシールして閉じ、上端は両側辺の上部に手提部１３、１３をアーチ状に、開口部１４の上辺中央部に舌片１５、１５が延設されるようにコ字状にカットされて形成されている。
【０００３】
この手提袋を使用する場合、開口部１４から商品を収納し、手提部１３、１３を把持して袋を持ち運ぶが、その際内容物が飛び出さないように、又異物が外から入らないようにするため、手提部１３、１３を開口部１４上で交差させ結び合わせるようにして使用される。しかし、手提部１３、１３を結び合わせる形式は不便が有り、これを改善するために特許文献１では開口部上辺側又は舌部にスリットを設け、手提部を挿通可能とした手提袋を提案している。
【０００４】
【特許文献１】
特開平８−８０９５２号公報
【０００５】
【発明が解決しようとする課題】
ところで、上述した手提袋は一般的な商品を対象としたものであり、実際の例では両側辺に設けられたガゼット折りは平面状に折られた際に両側辺間の全幅の略１／４程度の幅に折り込まれており、使用の際その下底に形成される角底は、ガゼット折りの幅が狭いため細長くなり、例えばデコレーションケーキを収容するケーキ箱のような平面視が正方形又はやや２辺の一方が長い長方形の箱を収容することはできない。
【０００６】
仮に、上記のような箱を収容することができるようにしようとすると、ガゼットの内側折り目を従来よりさらに全幅の中央寄りに位置させなければならず、従って一般的な用途の手提袋とは形状が異なったものとなる。又、手提部はガゼット折りされた側辺の上端部を溶着してアーチ状に形成されており、２枚ずつのフィルム片をアーチ状に接続しているため、フィルム片は極薄であっても丈夫な手提部とすることができる点で実用性に優れている。
【０００７】
しかし、手提袋を使用する際に収納されるデコレーションケーキのような商品に対する高級感、人気商品感を付与するために、手提袋の上端に例えば特定のキャラクタ形状の手提部を形成しようとすると、構造の制約から手提部の形状を必要に応じて変形させることができない。これは、手提部を両側辺の上端に設けて、２枚のフィルムを重ねてアーチ状に形成することにより手提部を丈夫にするため、両側辺の上端部に位置させる必要があるからである。
【０００８】
そこで、この発明は、上記の問題に留意して、手提部の位置をキャラクタ形状を形成し易い位置に設定することにより袋のキャラクタ性の付与を容易にした箱用手提袋を提供することを課題とする。
【０００９】
【課題を解決するための手段】
この発明は、上記の課題を解決する手段として、輪状のプラスチックフィルム又はシートを平面状に、かつガゼット折りが側辺に沿って形成されるように折畳み、そのガゼット折目を両側辺から内側に折畳んで下端を溶着し、フィルム又はシートの上端をカットして上端中央にキャラクタ形状の手提部を形成して成る手提袋としたのである。
【００１０】
上記課題を解決するもう１つの手段として、プラスチックフィルム又はシートを平面状に、かつガゼット折目が両側辺と直交する方向に形成されるように折畳み、そのガゼット折目を下底から内側に折畳み、上端縁は内側に折り返し、両側辺を溶着すると共に上端縁の内側折返し端を外側面に溶着し、フィルム又はシートの上端をカットして上端中央に手提部、両側辺上端に係合片を形成して成る箱用手提袋とすることもできる。
【００１１】
上記第一の発明の箱用手提袋は、主として箱を収納するのに好適な簡易な構成の手提袋である。但し、一般的な物品を収納するのに用いることもできることは勿論である。この手提袋では両側辺に沿ってガゼット折りして折畳まれる折目が内側に折込まれているから、上端中央に手提部をプレスで原材料フィルム又はシートの除去部をカットすることにより形成すると、折込まれたガゼット折り部の延長部も同時にカットされ、手提部に相似又は近い形状の舌片が形成される。
【００１２】
手提部は平面状に折畳まれたフィルム又はシートの２つの面の中央に設けられるから、カットする形状を種々に工夫、デザイン化することにより色々のキャラクタ形状、模様の手提部を形成することができ、手提袋を箱の内容物に合わせてキャラクタ化することができる。使用の際は、手提部の表裏のフィルム又はシートを広げ、かつその下方のフィルム又はシート面を広げると下端に角底ができる。
【００１３】
この状態の袋に箱を挿入し、手提部に指を通して箱を吊り下げる。ガゼット折り部を広げたその上端には舌部が形成され、これを互いに係合することにより袋上端の開口が閉じられ、外から異物が混入するのを防止することができることとなる。
【００１４】
第二の発明の箱用手提袋も主として箱を収納するのに用いられる点は同じである。この手提袋は、ガゼット折目を下底部と平行に、従って両側辺と直交する方向に折込まれているが、手提部を両側辺間の中央上端に形成すると同時に、両側辺上端にも係合片が形成される。従って、手提部にはキャラクタ形状の手提片を形成することもでき、かつ係合片を互いに係合させて袋上端の開口を閉じることができる。
【００１５】
【実施の形態】
以下、この発明の実施の形態について図面を参照して説明する。図１は第一実施形態の箱用手提袋の外観斜視図である。図示の手提袋１は、リング状断面に形成されたプラスチックフィルム（又はシート）を長手方向の上端、下端で所定長さに切断して平面状に折り畳んで形成されており、その折畳みは内側の折目８を外側フィルムの内側に重なるように外側の側辺９で折り込み、ガゼット折りされている。２は下端であり、２ａの溶着線でヒートシールされて閉じられている。上端にはカッタで除去部１Ｄ  がカットされて袋の平面の上端中央位置に手提部３が形成されている。
【００１６】
手提部３は、後述するように、キャラクタ形状にカットされ、同時に指穴４、４、切目５、６、開口端７も同一のカッタで一斉に切断されて形成される。３ａ、３ａは外側手提片、３ｂ、３ｂは内側手提片である。手提袋１のフィルム外側面には、実際に使用する際は種々の広告文字、絵模様等が印刷されるが、特に手提部３の外面には、例えば図２に示すような人や動物の顔をキャラクタ模様に印刷して手提袋の現代的感覚を高めるように作成される。なお、図２の（ｂ）図では切目５を省略して手提部３の強度を確保する例を示している。
【００１７】
手提袋１に使用されるプラスチックフィルム（又はシート）としては、高密度ポリエチレン、低密度ポリエチレン、ポリプロピレン、ポリ塩化ビニルなどフィルム又はシートを形成できるプラスチック材であればいずれのものでもよい。なお、従来一般的な手提袋として用いられているプラスチックフィルムと同様に厚さ数１０ミクロン程度でもよいが、箱用であるため１００ミクロン以上の少し厚めのものを用いるのが好ましい。
【００１８】
なお、図示の手提袋１は、後述するように、平面視正方形の箱を収納することを目的としているため、内側の折目８、８を両側辺９、９間の幅の中央位置付近にわずかな隙間となるよう接近させてガゼット折りを形成している。但し、箱の形状が平面視長方形の場合は、長辺が両側辺９〜９間の幅に、短辺がガゼット折りを広げた幅に対応するように内側の折目８、８は中央より外側へそれぞれ位置させることとなる。
【００１９】
以上のように構成したこの実施形態の箱用手提袋は、図３、図４のように広げて箱を収納して手提するのに用いられる。手提袋１を広げる際に、ガゼット折りされている内側の折目８、８を外側へ広げると、側辺９と折目８間の２倍の長さに広がると同時に、側辺９の溶着線２ａから上方に折目８と同じ寸法位置を下底とする角底１０が形成されるように折目８を広げると、図３の（ｂ）に示すように正方形の箱を受入れできる状態となる。
【００２０】
こうして広げられた手提袋１内に、図３の（ｂ）に示すように箱を収納すると、２つの手提片３ａ、３ａとこれに類似の２つの舌片３ｂ、３ｂとが立上った状態となる。但し、舌片３ｂ、３ｂはこの例では手提片３、３とほぼ同形に形成されるから、いずれを手提片としてもよいが、折目８のない方が使い易いため折目８のないのを手提片３ａ、３ａとしている。手提片３ａ、３ａの指穴４、切目５に指先を挿入して両方の手提片３ａ〜３ａ間に指を掛け手提袋１を持上げて箱を運ぶ。
【００２１】
このとき、舌片３ｂ、３ｂは材料が柔らかいため一般に開口端７、７の線上で内側又は外側へ倒れることとなり、その開口端７、７側が開いたままとなり、外から異物が入り易くなり、箱の上に小さな物品を載せている場合は、その物品が外へ飛び出すこともある。このため、このような不都合が生じないようにするため、図４に示すように、予め舌片３ｂ、３ｂは一方を他方の切目５に挿通させて結んでおくとよい。舌片３ｂ、３ｂは首部が切目５に引掛って抜け難くしてあるから、挿通後抜けることはない。これにより、開口端７、７が形成する開口が大きく閉じられる。
【００２２】
なお、手提片３ａ、３ａ、舌片３ｂ、３ｂが、極薄のプラスチックフィルムであるため強度不足のときは、フィルム厚さを従来より少し厚くし、又はこれらの部分だけ２つ折りで重ねることにより十分な強度とすればよい。この点は次の第二実施形態でも同じである。
【００２３】
又、この実施形態の手提袋１は、主として平面視正方形の箱が対象であるが、内側の折目８、８の位置を中央位置から少し側辺９、９の方へ寄った位置とすると、手提袋１を広げたときにガゼット折り部の幅がそれに応じて小さくなり、箱は平面視長方形のものが対象となる。従って、長方形の箱の長辺と短辺の比に対応して内側の折目８、８の内側への折り位置を決定すればよい。
【００２４】
図５以下に第二実施形態の箱用手提袋を示す。図５に示す箱用手提袋１’は、１枚のプラスチックフィルム又はシートを２つ折りして平面状に折り畳んで形成され、その折畳みは内側の折目８を外側フィルムの内側に重なるように下端２で折り込み、ガゼット折りされている。又、フィルム又はシートの上端縁７ｂは図中の折線Ｆで内側に折返され、溶着線７ａで溶着されている。さらに、フィルム又はシートの複数枚を重ねた状態で側辺９に沿って溶着線９ａで互いに溶着している。従って、折目８は両側辺９、９に対し直交する方向に形成される。
【００２５】
溶着線７ａ、９ａで溶着されたフィルム又はシートに対し、両側辺９と９の間の中央に、図示の例では台形のキャラクタ手提部３が形成されるように、これを挟んで２つの山形にカッタで除去部１Ｄ  ’、１Ｄ  ’を打抜いて手提部３が形成されている。又、指穴４’、切欠き５’も同時にカッタでカットされて形成される。
【００２６】
上記のように構成した第二実施形態の箱用手提袋１’も箱を収納し手提するのに用いられる。手提袋１’を広げる際に、ガゼット折りされている内側の折目８を下方へ下げて手提部３ａ、３ａを互いに外へ広げると、折目８と下端２との２倍の長さに下底が広がり、同時に側辺９から上記と同じ長さ中央寄り位置を通る線上でフィルム又はシートを折畳んで側辺９を外側から中央寄り位置へと押し込むと、図７に示すように、溶着線９ｂで決まる位置で下底に角底１０が形成され、正方形の箱Ｂを受入れできる状態となる。
【００２７】
このように広げられた手提袋１’に箱Ｂを入れるのは第一実施形態と同様である。手提片３、３の指穴４’、４’に指を入れて吊り下げると箱Ｂを携帯できることとなる。このとき、開口端７、７が開く点も同じであるが、係合片３ｂ’、３ｂ’を互いに係合することにより開口を閉じることができる。図示の手提片３、３は一般的な形状のものを示しているが、必要な場合は第一実施形態のように、所望のキャラクタ形状にカットし、その上にキャラクタ模様を印刷表示するとキャラクタ性が付与され、手提袋１’に高付加価値が与えられる。
【００２８】
なお、この実施形態の手提袋１’も正方形の箱を収納して手提げする例を図示したが、長方形の箱を収納できる手提袋１’とする場合は、角底１０が形成される際に各辺の比を長方形の箱に対応して異なる位置に折線が来るように溶着線９ｂの位置を設定すればよい。又、手提片３ａ、３ａに形成されるキャラクタ形状については第一実施形態と同様である。
【００２９】
【発明の効果】
以上、詳細に説明したように、この発明の箱用手提袋は平面状にガゼット折りされた袋の中央上端位置にキャラクタ手提部を形成したから、手提部をキャラクタ形状にカットして形成し、その表面にキャラクタ模様を表示することにより手提袋にキャラクタ性を付与することができ、手提袋の利用価値が高くなる等の効果がある。
【図面の簡単な説明】
【図１】第一実施形態の箱用手提袋の（ａ）外観斜視図、（ｂ）（ａ）図の矢視Ｂ−Ｂ断面図
【図２】同上の手提部のキャラクタ形状の例を示す図
【図３】同上の手提袋の使用の説明図（中間状態）
【図４】同上の手提袋の使用の説明図（完成状態）
【図５】第二実施形態の箱用手提袋の外観斜視図
【図６】図５の矢視Ｂ’−Ｂ’から見た拡大断面図
【図７】同上の手提袋の使用の説明図（（ａ）中間状態、（ｂ）完成状態）
【図８】従来例の手提袋の外観斜視図
【符号の説明】
１  箱用手提袋
２  下端
３  手提部
４  指穴
５、６  切目
７  開口端
８  折目
９  側辺
【図１】
2004345649.tif 000003
【図２】
2004345649.tif 000004
【図３】
2004345649.tif 000005
【図４】
2004345649.tif 000006
【図５】
2004345649.tif 000007
【図６】
2004345649.tif 000008
【図７】
2004345649.tif 000009
【図８】
2004345649.tif 000010